(57)【要約】【課題】傷がつきにくく光学性能を維持することが可能な光学系および光学機器を提供すること【解決手段】複数のレンズ群の中で最も外側に配置された第３レンズ群Ｌ３は異なる樹脂材料よりなる複数のレンズを接合した接合レンズであり、前記接合レンズを構成する中心肉厚の最も厚いレンズＬ３ａの材料の鉛筆硬度をＨ１、前記接合レンズの最も外側のレンズＬ３ｂの材料の鉛筆硬度をＨ２、前記中心肉厚の最も厚いレンズの中心厚と材料の吸水率をｔ１、Ａ、前記最も外側のレンズの吸水率と材料をｔ２、Ｂとすると、Ｈ１＜Ｈ２、１＜Ｂ／Ａ＜３５、１．６≦ｔ１／ｔ２＜２０が満足される。【選択図】図１
2014115319.tif 000002
【特許請求の範囲】
【請求項１】
互いに異なる樹脂材料よりなる複数のレンズを接合した接合レンズが最も外側に配置された光学系であって、
前記接合レンズを構成する中心肉厚の最も厚いレンズの材料の鉛筆硬度をＨ１、前記接合レンズの最も外側のレンズの材料の鉛筆硬度をＨ２、前記中心肉厚の最も厚いレンズの中心厚と材料の吸水率をｔ１、Ａ、前記最も外側のレンズの中心厚と材料の吸水率をｔ２、Ｂとするとき、以下の条件式を満足することを特徴とする光学系。
Ｈ１＜Ｈ２
１＜Ｂ／Ａ＜３５
１．６≦ｔ１／ｔ２＜２０
【請求項２】
Ｈ２は鉛筆硬度３Ｈ以上であることを特徴とする請求項１に記載の光学系。
【請求項３】
前記光学系は、接眼光学系であって、物体側から観察側に順に、負の屈折力を有する第１レンズ群と、正の屈折力を有する第２レンズ群と、負の屈折力の第３レンズ群からなる３群構成を有し、視度調節に際して第２レンズ群が光軸方向に移動し、前記接合レンズは前記第３レンズ群に配置されていることを特徴とする請求項１または２に記載の光学系。
【請求項４】
前記中心肉厚の最も厚いレンズの材料の屈折率をＮ１、前記最も外側のレンズの屈折率をＮ２とすると、以下の条件式を満足することを特徴とする請求項１乃至３のうちいずれか１項に記載の光学系。
１＜Ｎ１／Ｎ２＜１．３
【請求項５】
前記第２レンズ群は１枚の正レンズより構成されており、該正レンズの材料のアッベ数をνｄ２、前記接合レンズの前記中心肉厚の最も厚いレンズの材料のアッベ数をνｄ３とするとき、以下の条件式を満足することを特徴とする請求項３または４に記載の光学系。
νｄ３＜νｄ２
【請求項６】
前記接合レンズの中心厚をｄ３、前記第１レンズ群の焦点距離をｆ１、前記光学系の全系の焦点距離をｆとするとき、以下の条件式を満足することを特徴とする請求項３または４に記載の光学系。
０．１３＜ｄ３／ｆ＜０．２１
−１＜ｆ１／ｆ＜−０．７
【請求項７】
前記光学系は倒立逆像を正立正像に変換する正立像形成部材を更に有することを特徴とする請求項１乃至６のうちいずれか一項に記載の光学系。
【請求項８】
前記光学系は、物体の光学像を形成する撮影光学系であり、
物体側から像側に順に、正の屈折力を有する第１レンズ群と、正の屈折力を有する第２レンズ群と、負の屈折力を有する第３レンズ群と、を有し、前記接合レンズは前記第１レンズ群に配置されていることを特徴とする請求項１または２に記載の光学系。
【請求項９】
請求項１乃至８のうちいずれか一項に記載の光学系を収納し、カメラ本体に着脱可能な光学機器。
【請求項１０】
請求項１乃至８のうちいずれか一項に記載の光学系を有することを特徴とする光学機器。
【発明の詳細な説明】
【技術分野】
【０００１】
本発明は、光学系および光学機器に関する。
【背景技術】
【０００２】
樹脂材料から構成される単レンズは、光学ガラスからなる単レンズに比べて安価で軽量であるが、硬度が低く傷が入りやすい。従って、一眼レフカメラの接眼レンズにおいて樹脂材料のレンズを使用する場合には、最も外側のレンズに傷が入りにくい硬度が十分な材料を選択する必要がある。
【０００３】
特許文献１は、最も観察側のレンズの材料を樹脂で構成したファインダー光学系を開示している。特許文献２は、接眼レンズを４つのレンズより構成している。
【先行技術文献】
【特許文献】
【０００４】
【特許文献１】特開２００１−３１１８８１号公報
【特許文献２】特開２０００−１１１８１０号公報
【発明の概要】
【発明が解決しようとする課題】
【０００５】
しかしながら、アクリル樹脂は、硬度は高いが、吸水率も高く、経時変化によりレンズ面形状や屈折率が変化し、特に中心厚の厚いレンズではこの変化が長時間にわたって生じ、光学性能が悪化する。また、接眼レンズの中心厚を薄くすると観察倍率が低下する。また、ポリカーボネート樹脂は、吸水率は低く、レンズ面形状や屈折率の変化は少ないが、硬度が低いため、傷がつき易い。特許文献２の接眼レンズは、レンズ枚数が多いため、光学系の大型化、メカ構成の複雑化、透過率の低下を招きやすい。
【０００６】
本発明は、傷がつきにくく光学性能を維持することが可能な光学系および光学機器を提供することを目的とする。
【課題を解決するための手段】
【０００７】
本発明の光学系は、互いに異なる樹脂材料よりなる複数のレンズを接合した接合レンズが最も外側に配置された光学系であって、前記接合レンズを構成する中心肉厚の最も厚いレンズの材料の鉛筆硬度をＨ１、前記接合レンズの最も外側のレンズの材料の鉛筆硬度をＨ２、前記中心肉厚の最も厚いレンズの中心厚と材料の吸水率をｔ１、Ａ、前記最も外側のレンズの中心厚と材料の吸水率をｔ２、Ｂとするとき、以下の条件式を満足することを特徴とする。
【０００８】
Ｈ１＜Ｈ２
１＜Ｂ／Ａ＜３５
１．６≦ｔ１／ｔ２＜２０
【発明の効果】
【０００９】
本発明によれば、傷がつきにくく光学性能を維持することが可能な光学系および光学機器を提供することができる。
【図面の簡単な説明】
【００１０】
【図１】本発明の樹脂材料接合レンズを有する接眼レンズを有するファインダー光学系を一眼レフカメラに適用したときの要部断面図
【図２】本発明の接眼レンズの断面図である。（実施例１、３）
【図３】本発明の接眼レンズの収差図である。（実施例１）
【図４】本発明の接眼レンズの断面図である。（実施例２、４〜７）
【図５】本発明の接眼レンズの収差図である。（実施例２）
【図６】本発明の接眼レンズの収差図である。（実施例３）
【図７】本発明の接眼レンズの収差図である。（実施例４）
【図８】本発明の接眼レンズの収差図である。（実施例５）
【図９】本発明の接眼レンズの収差図である。（実施例６）
【図１０】本発明の接眼レンズの収差図である。（実施例７）
【図１１】本発明の接眼レンズの断面図である。（実施例８）
【図１２】本発明の接眼レンズの収差図である。（実施例８）
【発明を実施するための形態】
【００１１】
図１は、本実施形態のデジタル一眼レフカメラ（光学機器、撮像装置）の要部断面図である。デジタル一眼レフカメラは、撮影レンズ（撮影光学系）１と、クイックリターンミラー（ＱＲミラー）２、焦点板（フレネルレンズ）３、ペンタダハミラー（正立像形成部材）４、接眼レンズ（接眼光学系）５を有する。焦点板３、ペンタダハミラー４、接眼レンズ５は所定面に形成された物体像を観察するためのファインダー光学系を構成する。
【００１２】
撮影レンズ１は、物体（被写体）の光学像を形成し、撮影レンズ１を収納したレンズ鏡筒（レンズ装置、光学機器）は不図示のカメラ本体に着脱可能に構成されている。なお、本発明はレンズ一体型デジタルカメラにも適用可能であるので、レンズ装置はカメラ本体に固定されていてもよい。
【００１３】
クイックリターンミラー２は、図１に示すミラーダウン位置と不図示のミラーアップ位置との間で移動可能に構成され、ミラーダウン位置では撮影レンズ１からの光束を上方のファインダー光学系に反射させている。ミラーダウン位置では光路から退避して撮影レンズ１からの光束を撮像面（撮影レンズ１の像面ＩＰ）に到達させる。像面ＩＰには、ＣＣＤセンサやＣＭＯＳセンサ等の光電変換素子（撮像手段）の撮像面またはフィルム（撮像手段）等の感光面が配置される。光電変換素子は、マット面に形成された被写体像に相当する像（被写体像の一部または全部またはそれよりも大きな部分の像）を光電変換する。
【００１４】
焦点板３のマット面上には撮影レンズ１によって被写体像（ファインダー像）が形成される。
【００１５】
ペンタダハミラー４は、マット面上の被写体像（倒立逆像）を正立正像に変換し、入射部４ａ、第１の反射鏡４ｂ、第２の反射鏡４ｃ、出射部４ｄを有する。入射部４ａには、マット面からの被写体像の光束が入射する。屋根型形状の第１の反射鏡４ｂは、入射部４ａから入射したマット面上に形成された被写体像の光束を被写体像側（物体側）へ反射する。第２の反射鏡４ｃは、第１の反射鏡４ｂによって反射された光束を観察側に反射し、出射部４ｄから光束は射出される。なお、正立像形成部材としては、ペンタダハミラーの他にペンタダハプリズムや複数のプリズムより構成されたものでもよい。
【００１６】
接眼レンズ５は、焦点位置に集められた物体像を拡大してユーザに観察することを可能にする光学系である。接眼レンズ５は、ファインダー光学系の光路に沿って物体側から観察側に順に、負の屈折力の第１レンズ群Ｌ１、正の屈折力の第２レンズ群Ｌ２、最も観察側に配置された負の屈折力の第３レンズ群Ｌ３の３群構成を有する。第２レンズ群Ｌ２は１枚の正レンズから構成される。第３レンズ群Ｌ３は、異なる樹脂材料よりなる複数のレンズを接合した接合レンズである。樹脂材料の使用によって低価格化と軽量化を実現している。第２レンズ群Ｌ２を接眼レンズ５の光軸に沿って移動することで視度調節を行っている。各レンズ群は単一レンズ又は複数のレンズから構成されている。接眼レンズにおいて、最も外側のレンズ面は外部に露出していてもよい（反射防止膜などは形成されていてもよい）。
【００１７】
６はアイポイントであり、観察者の眼が位置する。接眼レンズ５の最終レンズ面から観察側のアイポイント６までの距離がアイレリーフに相当している。
【００１８】
接眼レンズ５においては、最も観察側（アイポイント側６）は樹脂材料よりなる複数のレンズを接合した接合レンズよりなっている。
【００１９】
接合レンズを構成する中心肉厚の最も厚いレンズの鉛筆硬度をＨ１とし、接合レンズの最も観察側のレンズ（最も外側のレンズ）の鉛筆硬度をＨ２とすると、以下の条件式が満足される。
【００２０】
Ｈ１＜Ｈ２              ・・・（１）
鉛筆硬度とは、鉛筆で表面が傷つくかどうかの硬度（表面を引っかき、傷がつかない鉛筆の固さ）を表し、その測定はＪＩＳ測定法による。条件式（１）は接眼レンズの耐候性を高めるために、接合レンズの各レンズの材料の硬度を規定したものである。
【００２１】
また、接合レンズを構成する中心肉厚の最も厚いレンズの中心厚と、材料の吸水率を各々ｔ１、Ａ、接合レンズの最も観察側のレンズの中心厚と材料の吸水率を各々ｔ２、Ｂとすると、以下の条件式が成立することが好ましい。
【００２２】
１＜Ｂ／Ａ＜３５        ・・・（２）
１．６≦ｔ１／ｔ２＜２０    ・・・（３）
吸水率とは、ある材料を水に浸して十分水を吸わせたときの吸水量を乾燥物一定量に対する比率で表した数値であり、その測定はＪＩＳ測定法による。条件式（２）は接眼レンズの光学性能を考慮しつつ、接合レンズの各レンズの材料の吸水率を規定したものである。下限を下回ると、吸水による光学性能の劣化が顕著となる。上限は特に限定されないが、一般的な樹脂材料を選択する便宜上加えられている。条件式（３）は接合レンズの各レンズの光軸上の厚みの比を規定している。下限を下回ると吸水による光学性能の劣化が顕著となる。上限は特に限定されないが、一般的な樹脂材料を選択する便宜上加えられている。このように、条件式（１）、（２）、（３）は耐候性を高め、経時変化によるファインダー光学系の光学性能の劣化を低減しつつ、ファインダー倍率の高倍率化を実現するための条件式である。接合レンズの吸水率の低いレンズの中心厚を厚肉化することで、経時変化によるファインダー光学系の光学性能の劣化を低減しつつ高倍率化を実現している。
【００２３】
更に好ましくは、Ｈ２は鉛筆硬度３Ｈ以上に設定するのがよい。
【００２４】
また更に好ましくは条件式（２）、（３）の数値範囲を次の如く設定するのがよい。
【００２５】
１．２＜Ｂ／Ａ＜３２．０        ・・・（２ａ）
１．６≦ｔ１／ｔ２＜１５        ・・・（３ａ）
各実施例によれば、簡易な構成で経時変化が少なく、強度を保ちながら高倍率の接眼レンズを有するファインダー光学系が得られる。
【００２６】
更に、接合レンズを構成する中心肉厚の最も厚いレンズの材料の屈折率をＮ１、最も観察側のレンズの屈折率をＮ２とすると、以下の条件式を満たすことが好ましい。下限を下回ると、厚いレンズの屈折率が低くなるために光学性能が劣化する。上限は特に限定されないが、一般的な樹脂材料を選択する便宜上加えられている。
【００２７】
１＜Ｎ１／Ｎ２＜１．３          ・・・（４）
ファインダー光学系の観察倍率を大きくするためには、焦点板３から接眼レンズ５までの距離（接眼レンズ５の主点位置までの光路長）を短くする必要があるため、第３レンズ群Ｌ３の負レンズの屈折力が大きいことが望ましい。条件式（４）を満足することによって接合レンズの中心肉厚の最も厚いレンズの屈折率が大きくなるので負レンズの屈折力を大きくすることができる。
【００２８】
第２レンズ群Ｌ２のアッベ数をνｄ２、第３レンズ群Ｌ３の中心肉厚の最も厚いレンズの材料のアッベ数をνｄ３とすると、以下の条件式を満たすことが好ましい。
【００２９】
ｖｄ３＜ｖｄ２                ・・・（５）
第２レンズ群Ｌ２のアッベ数を大きくし、第３レンズ群Ｌ３のアッベ数を小さくすることで倍率色収差と軸上色収差を改善することができる。
【００３０】
更に、第３レンズ群Ｌ３の中心厚をｄ３、ファインダー光学系の−１ディオプターのときの全系の焦点距離をｆ、第１レンズ群Ｌ１の焦点距離をｆ１とすると、以下の条件式を満たすことが好ましい。
【００３１】
０．１３＜ｄ３／ｆ＜０．２１  ・・・（６）
−１＜ｆ１／ｆ＜−０．７      ・・・（７）
条件式（６）、（７）はアイポイント６を十分に確保しつつ、観察倍率を大きくするための条件式である。負レンズの第３レンズ群Ｌ３を厚くすることによって、焦点板３から接眼レンズ５までの距離（接眼レンズの主点位置までの光路長）を短くすることができ、ファインダー系の観察倍率を大きくすることができる。
【００３２】
条件式（６）の下限よりも小さくなるとＧ３レンズを十分な厚さにすることができずに、ファインダー系の倍率を十分に大きくすることができない。条件式（６）の上限よりも大きくなりすぎるとＧ３レンズの観察側の面とアイポイントまでの距離を十分確保することができない。
【００３３】
条件式（７）の下限よりも小さくなると負レンズＧ１のパワーが弱くなりすぎてしまい、光線を跳ね上げることができずに、十分なアイポイントを確保することができない。条件式（７）の上限よりも大きくなりすぎると、負レンズであるＧ１のパワーが強くなりすぎてしまい、ファインダー系の倍率を十分に大きくすることができない。
【００３４】
接合レンズの接合レンズ面の曲率半径をＲａ、最も観察側のレンズ面の曲率半径をＲｂとすると、以下の条件式を満たすことが好ましい。
【００３５】
０．９＜Ｒａ／Ｒｂ＜１．１  ・・・（８）
即ち、接合レンズの接合レンズ面の形状と接合レンズの最も観察側（アイポイント側）のレンズ面の形状は略同一となるようにしている。両者が大きく異なると、射出成形等による製造時に型構造が複雑になるといった点が問題となる。条件式（８）を満足することで、第３レンズ群Ｌ３の製造が容易となる。
【００３６】
以下、本発明の各実施例について説明する。なお、球面収差図において、実線のｄはｄ線、２点鎖線のｇはｇ線である。非点収差図において、Ｍはメリディオナル像面、Ｓはサジタル像面である。歪曲収差はｄ線について示している。倍率色収差図においては、ｄ線を基準としたｇ線について示している。ｈはマット面側での像高である。
【実施例１】
【００３７】
実施例１（数値実施例１）の接眼レンズ５は、図２に示す断面図の構成を有する。図３（Ａ）、（Ｂ）、（Ｃ）は、その接眼レンズ５におけるファインダー視度が−１ディオプトリー（標準視度）、−３ディオプトリー、＋１ディオプトリーのときの収差図である。第３レンズ群Ｌ３は、スチレン系樹脂から構成され、中心肉厚の最も厚いレンズＬ３ａと、アクリル系樹脂から構成され、最も観察側のレンズＬ３ｂの２つのレンズと、が接合された接合レンズから構成されている。
【００３８】
スチレン系樹脂からなるレンズＬ３ａの鉛筆硬度は２Ｈであり、アクリル系樹脂からなるレンズＬ３ｂの鉛筆硬度は３Ｈである。最も観察側のレンズ（最も外側のレンズ）は鉛筆硬度の大きい樹脂材料から構成されるので、傷つきにくい耐候性に優れた接眼レンズ（ファインダー光学系）を提供することができる。また、吸水率の低いレンズＬ３ａを吸水率の高いレンズＬ３ｂよりも中心厚を厚くすることで、経時変化によるファインダー光学系の光学性能の劣化を低減しつつ、ファインダー光学系の高倍率化を実現している。
【実施例２】
【００３９】
実施例２（数値実施例２）の接眼レンズ５は、図４に示す断面図の構成を有する。図５（Ａ）、（Ｂ）、（Ｃ）は、その接眼レンズ５におけるファインダー視度が−１ディオプトリー（標準視度）、−３ディオプトリー、＋１ディオプトリーのときの収差図である。第３レンズ群Ｌ３は、アクリル系樹脂から構成され、最も物体側のレンズＬ３ａ、スチレン系樹脂から構成され、中心肉厚の最も厚いレンズＬ３ｂ、アクリル系樹脂から構成され、最も観察側のレンズＬ３ｃの３つのレンズからなる接合レンズである。
【００４０】
レンズＬ３ｂの鉛筆硬度は２Ｈであり、レンズＬ３ａ、Ｌ３ｃの鉛筆硬度は３Ｈである。レンズＬ３ｃをレンズＬ３ｂよりも鉛筆硬度の大きい樹脂材料で構成することにより、傷つきにくい耐候性に優れた接眼レンズ（ファインダー光学系）を提供することができる。また、レンズＬ３ａも鉛筆硬度の大きい樹脂材料から形成しているため、組み立て時に傷がつきにくく取り扱いが容易となっている。更に、吸水率の低いレンズＬ３ｂを吸水率の高いレンズＬ３ｃよりも中心厚を厚くすることで、経時変化によるファインダー光学系の光学性能の劣化を低減しつつ、ファインダー光学系の高倍率化を実現している。
【実施例３】
【００４１】
実施例３（数値実施例３）の接眼レンズ５も図２に示す断面図の構成を有する。図６（Ａ）、（Ｂ）、（Ｃ）は、その接眼レンズ５におけるファインダー視度が−１ディオプトリー（標準視度）、−３ディオプトリー、＋１ディオプトリーのときの収差図である。第３レンズ群Ｌ３は、ポリカーボネート系樹脂から構成され、中心肉厚の最も厚いレンズＬ３ａと、アクリル系樹脂から構成され、最も観察側のレンズＬ３ｂの２つのレンズと、が接合された接合レンズから構成されている。
【００４２】
ポリカーボネート系樹脂からなるレンズＬ３ａの鉛筆硬度はＢであり、アクリル系樹脂からなるレンズＬ３ｂの鉛筆硬度は３Ｈである。最も観察側にあるレンズを鉛筆硬度の大きい樹脂材料により構成することにより、傷つきにくい耐候性に優れた接眼レンズ（ファインダー光学系）を提供することができる。また、吸水率の低いレンズＬ３ａを吸水率の高いレンズＬ３ｂよりも中心厚を厚くすることで、経時変化によるファインダー光学系の光学性能の劣化を低減しつつ、ファインダー光学系の高倍率化を実現している。
【実施例４】
【００４３】
実施例４（数値実施例４）の接眼レンズ５も、図４に示す断面図の構成を有する。図７（Ａ）、（Ｂ）、（Ｃ）は、その接眼レンズ５におけるファインダー視度が−１ディオプトリー（標準視度）、−３ディオプトリー、＋１ディオプトリーのときの収差図である。第３レンズ群Ｌ３は、アクリル系樹脂から構成され、最も物体側のレンズＬ３ａ、ポリカーボネート系樹脂から構成され、中心肉厚の最も厚いレンズＬ３ｂ、アクリル系樹脂から構成され、最も観察側のレンズＬ３ｃの３つのレンズからなる接合レンズである。
【００４４】
レンズＬ３ｃをレンズＬ３ｂよりも鉛筆硬度の大きい樹脂材料によって構成することにより、傷つきにくい耐候性に優れた接眼レンズ（ファインダー光学系）を提供することができる。また、レンズＬ３ａも鉛筆硬度の大きい樹脂材料から形成しているため、組み立て時に傷がつきにくく取り扱いが容易となっている。更に、吸水率の低いレンズＬ３ｂを吸水率の高いレンズＬ３ｃよりも中心厚を厚くすることで、経時変化によるファインダー光学系の光学性能の劣化を低減しつつ、ファインダー光学系の高倍率化を実現している。
【実施例５】
【００４５】
実施例５（数値実施例５）の接眼レンズ５は実施例２の接眼レンズ５と同様であり、図４に示す断面図の構成を有するが、レンズＬ３ｂの厚さなど、数式（３）、（６）、（７）の数値が異なる。図８（Ａ）、（Ｂ）、（Ｃ）は、実施例５の接眼レンズ５の接眼レンズ５におけるファインダー視度が−１ディオプトリー（標準視度）、−３ディオプトリー、＋１ディオプトリーのときの収差図である。本実施例の接眼レンズ５も実施例２と同様の効果を得ることができる。
【実施例６】
【００４６】
実施例６（数値実施例６）の接眼レンズ５は実施例２の接合レンズ５と同様であり、図４に示す断面図の構成を有するが、レンズＬ３ｂの厚さなど、数式（３）、（６）、（７）の数値が異なる。図９（Ａ）、（Ｂ）、（Ｃ）は、実施例６の接眼レンズ５の接眼レンズ５におけるファインダー視度が−１ディオプトリー（標準視度）、−３ディオプトリー、＋１ディオプトリーのときの収差図である。本実施例の接眼レンズ５も実施例２と同様の効果を得ることができる。
【実施例７】
【００４７】
実施例７（数値実施例７）の接眼レンズ５は実施例２の接合レンズ５と同様であり、図４に示す断面図の構成を有するが、レンズＬ３ｂの厚さなど、数式（３）、（６）、（７）の数値が異なる。図１０（Ａ）、（Ｂ）、（Ｃ）は、実施例７の接眼レンズ５の接眼レンズ５におけるファインダー視度が−１ディオプトリー（標準視度）、−３ディオプトリー、＋１ディオプトリーのときの収差図である。本実施例の接眼レンズ５も実施例２と同様の効果を得ることができる。
【実施例８】
【００４８】
図１１は、実施例８の撮影光学系の断面図であり、図１２は、その収差図である。撮影光学系は、物体側から像側に順に、正の屈折力を有する第１レンズ群Ｇ２１、正の屈折力を有する第２レンズ群Ｇ２２、負の屈折力を有する第３レンズ群Ｇ２３から構成されている。第２レンズ群Ｇ２２を光軸方向に移動させることにより、視度調節を行っている。第１レンズ群Ｇ３は、アクリル系樹脂よりなるレンズＧ２１ａと、スチレン系樹脂よりなるレンズＧ２１ｂと、を接合した接合レンズより構成されている。レンズＧ２１ａは最も物体側のレンズ（最も外側のレンズ）に位置して、外部に露出している。
【００４９】
スチレン系樹脂よりなるＧ２１ｂの鉛筆硬度は２Ｈであり、アクリル系樹脂よりなるレンズＧ２１ａの鉛筆硬度は３Ｈである。最も外側にあるレンズを鉛筆硬度の大きい樹脂材料により構成することにより、傷つきにくい耐候性に優れた撮影レンズを提供することができる。また、吸水率の低いレンズＧ２１ａを吸水率の高いレンズＧ２１ｂよりも中心厚を厚くすることで、経時変化によるファインダー光学系の光学性能の劣化を低減しつつ、ファインダー光学系の高倍率化を実現している。
【００５０】
次に、各実施例に対応する数値実施例を示す。各数値実施例において、面番号は焦点板３からの順番を示す。ｒｉは焦点板３側より順に第ｉ番目の光学素子面の曲率半径である。ｒ１（３）はｒ１が焦点板３の射出面であることを意味している。ｒ２は出射部４ｄの射出面（平面）を意味している。ｄｉは焦点板３側より順に第ｉ番目の光学素子厚及び空気間隔である。ｎｄｉとνｄｉは各々焦点板３側より順に第ｉ番目の光学素子の材料の屈折率とアッベ数である。ｒ１は焦点板３のマット面（物体像が形成される面）に相当する。ｒ２は接眼レンズ５の物体側に設けた設計上のダミー面である。数値実施例１乃至３においてｒ３〜ｒ９と数値実施例４においてｒ３〜ｒ１０、数値実施例５においてｒ３〜ｒ７は接眼レンズ５を構成する各レンズ面の曲率半径である。最終の面はアイポイントを示している。数値実施例８においてｒ１〜ｒ７は撮影レンズを構成する各レンズ面ｒ２１〜ｒ２７の曲率半径である。最終の面は撮像面を示している。
【００５１】
なお、各数値実施例において＊印は非球面を表しており、非球面形状は光軸方向にＸ軸、光軸と垂直方向にＹ軸、光の進行方向を正としＲを近軸曲率半径、Ｋ、Ａ４、Ａ６、Ａ８、Ａ１０とすると、次式で定義されるものとする。また、「ｅ−０Ｘ」の表示は「１０−Ｘ」を意味している。
【００５２】
【数１】
2014115319.tif 000003
【００５３】
数値実施例においてアイポイントは接眼レンズの最終レンズ面からアイポイントまでの距離（アイレリーフ）を示している。また、前述の条件式と数値実施例における諸数値との関係を表１に示す。
【００５４】
（数値実施例１）
単位 mm 
面データ
面番号       r        d      nd         vd 
1          ∞      69.81                             
2          ∞       0.56                             
3       -500.481    2.00   1.58306    30.2           
4*        34.314  (可変)                             
5*        21.943    5.68   1.53110    56.0           
6        -30.825  (可変)                             
7*        21.300    6.00   1.57400    33.8           
8*        11.374    3.00   1.49171    57.4           
9*        11.374   23.00                             
10  (アイポイント) 
非球面データ
第4面
K=0-0000e+00,A4=-3-6506e-08,A6=-1.25194e-07,A8=7.58542e-10,A10=-1.64874e-12
第5面
K=0-0000e+00,A4=-4.31109e-06,A6=-3-4991e-07,A8=1.40490e-09,A10=-2.48372e-12
第7面
K=1.28427e+00,A4=-8.20943e-05,A6=1.94273e-07,A8=-8.88333e-10,A10=-6.11573e-12
第8面
K=0-0000e+00,A4=-1.39360e-04,A6=2.20539e-07,A8=-7.74364e-09,A10=-1.63569e-11
第9面
K=0-0000e+00,A4=-1.39360e-04,A6=2.20539e-07,A8=-7.74364e-09,A10=-1.63569e-11
各種データ
視度(m-1 )       +1       -1       -3
焦点距離      60.63    63.45    59.78  
d 4            3.22     0.78     4.11  
d 6            2.89     5.33     2.00  
（数値実施例２）
単位 mm 
面データ
面番号       r        d      nd         vd 
1          ∞      69.81                             
2          ∞       0.66                             
3       -381.775    2.00   1.58306    30.2           
4*        30.336  (可変)                             
5*        21.962    5.65   1.53110    56.0           
6        -30.772  (可変)                             
7*        21.300    1.00   1.49171    57.4           
8*        21.300    8.63   1.57400    34.0           
9*        11.671    1.00   1.49171    57.4           
10*        11.671   23.00                             
11  (アイポイント) 
非球面データ
第4面
K=0.00000e+00,A4=-5.43282e-06,A6=-4.48166e-08,A8=-5.71121e-10,A10=3.66982e-12
第5面
K=0.00000e+00,A4=-3.50957e-06,A6=-2.37138e-07,A8=8.92388e-11,A10=1.89928e-12
第7面
K=-6.05217e+00,A4=2.86643e-05,A6=-2.42145e-07,A8=2.90402e-09,A10=-9.27813e-12
第8面
K=-6.05217e+00,A4=2.86643e-05,A6=-2.42145e-07,A8=2.90402e-09,A10=-9.27813e-12
第9面
K=0.00000e+00,A4=-1.08265e-04,A6=-9.11182e-08,A8=-4.87879e-10,A10=-2.19740e-11
第10面
K=0.00000e+00,A4=-1.08265e-04,A6=-9.11182e-08,A8=-4.87879e-10,A10=-2.19740e-11
各種データ
視度(m-1 )       +1       -1       -3
焦点距離      60.15    64.34    58.87  
d 4            2.87     0.97     3.54  
d 6            1.54     3.44     0.86  
（数値実施例３）
単位 mm 
面データ
面番号       r        d      nd         vd 
1          ∞      69.81                             
2          ∞       0.72                             
3       -500.475    2.00   1.58306    30.2           
4*        34.314  (可変)                             
5*        21.888    5.58   1.53110    56.0           
6        -30.644  (可変)                             
7*        21.300    6.00   1.58306    30.2           
8*        11.370    3.00   1.49171    57.4           
9*        11.370   23.00                             
10  (アイポイント) 
非球面データ
第4面
K=0-0000e+00,A4=-1.36411e-06,A6=-1-1009e-07,A8=5.58861e-10,A10=-1-4795e-12
第5面
K=0-0000e+00,A4=-6.21045e-06,A6=-2.88480e-07,A8=1.31863e-09,A10=-2.33381e-12
第7面
K=1.36806e+00,A4=-8.20221e-05,A6=1.96062e-07,A8=-1.23546e-09,A10=-4.36216e-12
第8面
K=0-0000e+00,A4=-1.38547e-04,A6=2.38321e-07,A8=-9.18345e-09,A10=-1.80762e-12
第9面
K=0-0000e+00,A4=-1.38547e-04,A6=2.38321e-07,A8=-9.18345e-09,A10=-1.80762e-12
各種データ
視度(m-1 )       +1       -1       -3
焦点距離      60.65    63.40    59.83  
d 4            3.23     0.78     4.12  
d 6            2.82     5.26     1.93  
（数値実施例４）
単位 mm 
面データ
面番号       r        d      nd         vd 
1          ∞      69.81                             
2          ∞       0.62                             
3       -326.673    2.00   1.58306    30.2           
4*        30.162  (可変)                             
5*        22.267    5.53   1.53110    56.0           
6        -29.805  (可変)                             
7*        21.300    1.00   1.49171    57.4           
8*        21.300    8.72   1.58306    30.2           
9*        11.674    1.00   1.49171    57.4           
10*        11.674   23.00                             
11  (アイポイント) 
非球面データ
第4面
K=0-0000e+00,A4=-1.10206e-05,A6=-6.24753e-08,A8=6.60592e-10,A10=-2-6896e-12
第5面
K=0-0000e+00,A4=-1.47794e-05,A6=-2.58173e-07,A8=1.52181e-09,A10=-3-8295e-12
第7面
K=-5.39641e+00,A4=2.79588e-05,A6=-5.38588e-08,A8=5-4730e-10,A10=-7.42979e-12
第8面
K=-5.39641e+00,A4=2.79588e-05,A6=-5.38588e-08,A8=5-4730e-10,A10=-7.42979e-12
第9面
K=0-0000e+00,A4=-1-5276e-04,A6=1-7767e-07,A8=-6.96525e-09,A10=-2.49896e-11
第10面
K=0-0000e+00,A4=-1-5276e-04,A6=1-7767e-07,A8=-6.96525e-09,A10=-2.49896e-11
各種データ
視度(m-1 )       +1       -1       -3
焦点距離      60.14    64.45    58.83   
d 4            2.93     1.05     3.59  
d 6            1.55     3.43     0.90  
（数値実施例５）
単位 mm 
面データ
面番号       r        d      nd         vd 
1          ∞      69.81                             
2          ∞       0.55                             
3       -536.554    2.00   1.58306    30.2           
4*        28.703  (可変)                             
5*        18.122    5.28   1.53110    56.0           
6        -30.149  (可変)                             
7*        21.300    1.00   1.49171    57.4           
8*        21.300    6.58   1.57400    34.0           
9*        10.692    1.00   1.49171    57.4           
10*        10.692   23.00                             
11  (アイポイント) 
非球面データ
第4面
K=--0000e+00,A4=-3-3146e-05,A6=1.39201e-08,A8=1.92034e-10,A10=-5-5202e-14
第5面
K=--0000e+00,A4=-4-6648e-05,A6=-2.63751e-07,A8=8.87633e-10,A10=-1.34339e-12
第7面
K=-6.15465e+00,A4=9.40037e-06,A6=-6.19753e-08,A8=3-5161e-09,A10=-1.10458e-11
第8面
K=-6.15465e+00,A4=9.40037e-06,A6=-6.19753e-08,A8=3-5161e-09,A10=-1.10458e-11
第9面
K=--0000e+00,A4=-1.65530e-04,A6=1.92884e-07,A8=-2.65371e-09,A10=-3.15095e-11
第10面
K=--0000e+00,A4=-1.65530e-04,A6=1.92884e-07,A8=-2.65371e-09,A10=-3.15095e-11
各種データ
視度(m-1 )       +1       -1       -3
焦点距離      60.50    63.60    59.53  
d 4            2.67     0.67     3.44  
d 6            1.27     3.27     0.50  
（数値実施例６）
単位 mm 
面データ
面番号       r        d      nd         vd 
1          ∞      69.81                             
2          ∞       0.55                             
3       -538.903    2.00   1.58306    30.2           
4*        31.624  (可変)                             
5*        18.354    5.25   1.53110    56.0           
6        -30.422  (可変)                             
7*        21.300    1.00   1.49171    57.4           
8*        21.300    6.32   1.57400    34.0           
9*        10.394    1.00   1.49171    57.4           
10*        10.394   23.00                             
11  (アイポイント) 
非球面データ
第4面
K=0-0000e+00,A4=-3.19026e-05,A6=2.52936e-08,A8=8.25267e-10,A10=-3.47354e-12
第5面
K=0-0000e+00,A4=-4.22798e-05,A6=-2.73716e-07,A8=1.92084e-09,A10=-5.99417e-12
第7面
K=-2.79333e+00,A4=-4.51202e-05,A6=4.53072e-07,A8=-2.29722e-09,A10=1-5050e-11
第8面
K=-2.79333e+00,A4=-4.51202e-05,A6=4.53072e-07,A8=-2.29722e-09,A10=1-5050e-11
第9面
K=0-0000e+00,A4=-1.95971e-04,A6=7.50172e-07,A8=-1.83408e-08,A10=7.27020e-11
第10面
K=0-0000e+00,A4=-1.95971e-04,A6=7.50172e-07,A8=-1.83408e-08,A10=7.27020e-11
各種データ
視度(m-1 )       +1       -1       -3
焦点距離      59.98    61.86    59.41  
d 4            2.76     0.50     3.73  
d 6            1.46     3.73     0.50  
（数値実施例７）
単位 mm 
面データ
面番号       r        d      nd         vd 
1          ∞      69.81                             
2          ∞       0.56                             
3       -502.976    2.00   1.58306    30.2           
4*        26.614  (可変)                             
5*        20.438    5.21   1.53110    56.0           
6        -31.061  (可変)                             
7*        21.300    1.00   1.49171    57.4           
8*        21.300    9.81   1.57400    34.0           
9*        11.550    1.00   1.49171    57.4           
10*        11.550   23.00                             
11  (アイポイント) 
非球面データ
第4面
K=--0000e+00,A4=-7-9779e-06,A6=-1-3551e-07,A8=7.29837e-11,A10=7.69283e-13
第5面
K=--0000e+00,A4=1.86856e-06,A6=-2.77412e-07,A8=2.11200e-10,A10=7.90268e-13
第7面
K=-7.29221e+00,A4=3.81112e-05,A6=-4.82117e-07,A8=4.52797e-09,A10=-1-6468e-11
第8面
K=-7.29221e+00,A4=3.81112e-05,A6=-4.82117e-07,A8=4.52797e-09,A10=-1-6468e-11
第9面
K=--0000e+00,A4=-1.17546e-04,A6=-1.51021e-07,A8=1.84050e-09,A10=-1.25528e-11
第10面
K=--0000e+00,A4=-1.17546e-04,A6=-1.51021e-07,A8=1.84050e-09,A10=-1.25528e-11
各種データ
視度(m-1 )       +1       -1       -3
焦点距離      58.25    62.57    56.80  
d 4            2.48     0.96     3.05  
d 6            1.30     2.82     0.73  
（数値実施例８）
単位 mm 
面データ
面番号       r        d      nd         vd 
1*         1.361    0.20   1.49200    57.4           
2*         1.361    1.05   1.57400    33.8           
3*         2.155    0.70                             
4*      -218.879    1.14   1.53110    56.0           
5*        -2.399    0.39                             
6*        -3.027    0.60   1.58600    30.0           
7*        -5.603    0.30                             
8          ∞                                  
非球面データ
第1面
K = 8.38614e-001  A 4=-8.40349e-003  A 6=-6.52207e-002  A 8=-3.00007e-002  
第2面
K = 8.38614e-001  A 4=-8.40349e-003  A 6=-6.52207e-002  A 8=-3.00007e-002  
第3面
K = 2.57647e+000  A 4= 4.43657e-002  A 6= 1.49638e-001  A 8= 3.75693e-003  
第4面
K =-6.14315e+010  A 4=-1.68298e-001  A 6= 5.91913e-002  A 8= 7.32607e-003  
第5面
K = 4.29758e-001  A 4=-6.56940e-002  A 6= 6.95472e-003  A 8= 1.85832e-018  
第6面
K =-1.10829e-002  A 4= 8.98127e-004  
第7面
K = 8.72556e-001  A 4=-1.99231e-002  
各種データ
焦点距離       3.55  
Fナンバー      2.53  
半画角          28.17°  
像高           1.90  
レンズ全長     4.44  
以下に各実施例における条件式の数値を表１に示す。
【００５５】
【表１】
2014115319.tif 000004
【００５６】
以上、本発明の好ましい実施形態について説明したが、本発明はこれらの実施形態に限定されず、その要旨の範囲内で種々の変形及び変更が可能である。例えば、本発明の光学機器はデジタル一眼レフカメラに限定されず、デジタルビデオカメラ、監視カメラ、双眼鏡、顕微鏡などであってもよい。接眼レンズや撮影レンズは小型化の観点からは３群で構成されることが好ましいが、４群以上から構成されてもよい。最も外側のレンズの材料はアクリル樹脂に限定されない。
【産業上の利用可能性】
【００５７】
本発明は、光学系や光学機器の用途に適用可能である。
【符号の説明】
【００５８】
Ｌ３…第３レンズ群（接合レンズ）、５…接眼レンズ（光学系）
【図１】
2014115319.tif 000005
【図２】
2014115319.tif 000006
【図３】
2014115319.tif 000007
【図４】
2014115319.tif 000008
【図５】
2014115319.tif 000009
【図６】
2014115319.tif 000010
【図７】
2014115319.tif 000011
【図８】
2014115319.tif 000012
【図９】
2014115319.tif 000013
【図１０】
2014115319.tif 000014
【図１１】
2014115319.tif 000015
【図１２】
2014115319.tif 000016